(57)【要約】【課題】ディスクを配送するのに好適で、開封した後の再利用を防止できる封筒を提供すること。【解決手段】ディスク配送用封筒１０は、ディスク３０を入れた返却用封筒４０が収容される封筒本体１１と、封筒本体１１の封入口１２を封緘するフラップ１３とを備え、封筒本体１１の中央部に一定の幅で平行に配置された２列の切り取りミシン目２６，２７からなる開封部１４が設けられている。そして、切り取りミシン目２６，２７を切り取ると開封部１４が剥がれて封筒本体１１に開封口１４ａが開いた状態になり、配送用封筒１０の再利用ができなくなる。【選択図】図５
2010006380.tif 000002
【特許請求の範囲】
【請求項１】
円盤状のディスクを配送するためのディスク配送用封筒であって、ディスクを入れた返却用封筒が封入される封入口を有する封筒本体と、封筒本体の封入口を封緘するフラップとを備え、封筒本体に一定の幅で平行に配置された２列の切り取りミシン目からなる開封部が設けられていることを特徴とするディスク配送用封筒。
【請求項２】
開封部が封筒表面の中央部に設けられていることを特徴とする請求項１に記載のディスク配送用封筒。
【請求項３】
開封部の位置が、返却用封筒を封筒本体の内部の端に寄せた状態で開封部を開封した時に、封筒本体の内部に返却用封筒の狭小部分が少なくとも２０％以上残る位置に設定されていることを特徴とする請求項１に記載のディスク配送用封筒。
【発明の詳細な説明】
【技術分野】
【０００１】
本発明は、例えばレンタルショップでＣＤやＤＶＤ等のディスクを配送する際に用いられるディスク配送用封筒であって、特に開封した後の再利用を防止できる構造に関する。
【背景技術】
【０００２】
近年、レンタルショップでは、会員がインターネットを使ってレンタル注文したＣＤやＤＶＤを会員の自宅宛に配送する、いわゆる宅配レンタルサービスを実施している。このようなサービスを利用して、会員がＣＤやＤＶＤのディスクを複数枚同時に借りる場合があるが、店舗側としては視聴が済んだものから順次返却してもらう方がディスクの貸出し回転率が上がるので都合が良い。また、会員側としても、多くのレンタルショップでは顧客の手元に置いておける最大枚数が決められており、返却しないと次の作品を借りられないことになっているため、視聴が済んだものから順次返却できることが好ましい。
【０００３】
そこで、会員が複数枚同時にレンタルしたディスクを順番に任意のタイミングで返却するための方法が考えられている。例えば、大きな封筒に返却用の小さな封筒を複数枚入れておくようにして、貸出時には１枚の大きな封筒で配送することができ、返却時には小さな封筒を個別に使用することによって返却タイミングをずらすことができるという方法がある。
【０００４】
この方法の場合、店舗側では、会員が返却用の封筒に切手を貼る面倒な作業や金銭的な負担を解消するため、返却用の小さな封筒に予め切手を貼り付けておくサービスを行なっている。ところが、それにも関わらず、会員が間違って配送用の大きな封筒を返却時に使用してしまうことがあり、ディスクが返却されなかったり、返却用の封筒が無駄になったりするという問題があった。また、封筒内のディスクの取り扱いには充分な注意が必要であり、配送中に中身が紛失しないことを厳守する必要がある。
【０００５】
このような事情から、配送時にディスクを確実に配送でき、しかも開封後に再利用を防止できる封筒が求められている。なお、下記の特許文献には封筒に関する発明が開示されているが、いずれの封筒も開封用のミシン目を設けて開封時の作業を簡単に行なえるようにしたものであり、ディスクの配送や封筒の再利用防止を考慮したものではない。
【０００６】
【特許文献１】特開平９−６６９４２号公報
【０００７】
【特許文献２】実用新案登録第３０８９４３９号公報
【発明の開示】
【発明が解決しようとする課題】
【０００８】
本発明は以上のような問題を解決するためになされたものであり、その目的とするところは、ディスクを配送するのに適した封筒であって、特に開封した後の再利用を防止することができるディスク配送用封筒を提供することにある。
【課題を解決するための手段】
【０００９】
上記の目的を達成するために、本発明は、円盤状のディスクを配送するためのディスク配送用封筒であって、ディスクを入れた返却用封筒が封入される封入口を有する封筒本体と、封筒本体の封入口を封緘するフラップとを備え、封筒本体に一定の幅で平行に配置された２列の切り取りミシン目からなる開封部が設けられていることを特徴とする。
【００１０】
また、本発明のディスク配送用封筒において、開封部を設ける位置は、少なくともディスクを入れた返却用封筒が封筒本体の端に寄った時でも中身のディスクが出てこない位置にする必要がある。したがって、開封部は封筒表面の中央部に設けられていることが好ましいが、開封部の位置が、返却用封筒を封筒本体の内部の端に寄せた状態で開封部を開封した時に、封筒本体の内部に返却用封筒の狭小部分が少なくとも２０％以上残る位置に設定されていると良い。
【発明の効果】
【００１１】
本発明のディスク配送用封筒は、開封部の切り取りミシン目を切り取って開封する構造であり、いったん開封すると開封部が剥がし取られて封筒本体に開封口が開いた状態になるため、間違ってこの配送用封筒を返却用に使用することができなくなり、開封後の配送用封筒の再利用を防止することができる。また、配送時に開封部の切り取りミシン目の一部が破れたとしても、封入された返却用封筒を簡単に取り出すことができないため、中身のディスクを確実に配送することができる。
【発明を実施するための最良の形態】
【００１２】
以下、本発明の実施の形態について、図面を参照しながら説明する。
【００１３】
図１は本発明に係るディスク配送用封筒を示す外観図、図２は同封筒の展開図、図３は同封筒における開封部の位置関係を示す模式図、図４と図５は同封筒の使用方法を示す説明図である。
【００１４】
図１に示すように、本実施形態のディスク配送用封筒（以下「配送用封筒」という）１０は、宅配レンタルサービスにおいて、会員がインターネットを使ってレンタル注文したＣＤやＤＶＤをレンタルショップが配送する際に利用するものである。この配送用封筒１０は、ＣＤやＤＶＤ等のディスクが入った返却用封筒を収容する封筒本体１１と、封筒本体１１に開口した封入口１２を封緘するフラップ１３とを備えている。また、封筒本体１１には会員がこの配送用封筒１０を開封する際に使用する開封部１４が設けられている。
【００１５】
より詳しくは、図２の展開図に示すように、この配送用封筒１０は１枚のクラフト紙等の封筒用シートから構成されており、矩形状に形成された封筒表紙１５の一辺に折り線１６を介してフラップ１３が連接され、フラップ１３と対向する辺に折り線１７を介して封筒底部となる糊代２１が連接されている。また、封筒表紙１５の残りの２辺にはそれぞれ折り線１８，１９を介して左右対称の封筒裏紙２２，２３が連接されている。そして、左右の封筒裏紙２２，２３を折り線１８，１９で谷折りし、重なった縁部同士を接着剤２４で貼り合わせ、その上に糊代２１を折り線１７で折り返して接着剤２５で貼り合わせることにより、図１（ｂ）に示すような封入口１２を有する封筒本体１１が形成される。
【００１６】
なお、封筒本体１１の作成方法はこれに限られず、例えば同一サイズの封筒表紙と封筒裏紙の周縁３辺を接着剤で貼り合わせて袋状にし、残りの１辺が封入口となるような方法で作成しても良い。
【００１７】
封筒本体１１の寸法は、内封物となる返却用封筒が入るサイズであって返却用封筒の面積の１４０％以下、より好ましくは１３０％以下の大きさに設計するのが良い。本実施形態では、ＣＤやＤＶＤ等の円盤状のディスク（直径１２０ｍｍ、厚さ１．２ｍｍ）を入れる返却用封筒が縦１２５ｍｍ×横１５５ｍｍのサイズに設定され、封筒本体１１は返却用封筒の面積の１４０％以下の大きさとなるように縦１４２ｍｍ×横１９０ｍｍのサイズに設定されている。
【００１８】
封筒本体１１の表面には開封部１４が設けられている。この開封部１４は封筒表紙１５の中央部を縦断するように設けられており、本実施形態では一定の幅（１０ｍｍ）をもたせて平行に配置した２列の切り取りミシン目２６，２７によって構成され、この切り取りミシン目２６，２７は両側のカット部の一端同士を山形に連結した形状になっている。また、開封部１４を配送中に破れにくくし、かつ開封時に剥がしやすくするため、封筒本体１１の引裂強度は切り取りミシン目２６，２７の引っ張る紙目方向に４００〜１０００ｍＮの範囲内に設定されている。
【００１９】
開封部１４を設ける位置は封筒表紙１５の中央部が最適であるが、少なくとも内封物を封筒本体１１の端に寄せても中身が出てこない位置に切り取りミシン目２６，２７が形成されていれば良い。好ましくは、切り取りミシン目２６，２７を破いた後に内封物を封筒本体１１の端に片寄らせたとき、内封物の狭い範囲の部分が２０％以上封筒本体１１の内部に残る状態になっていれば中身のディスクを簡単に取り出せないし、仮に配送中に切り取りミシン目２６，２７が破れたとしてもディスクが飛び出す心配もない。
【００２０】
このことを模式的に表わしたのが図３である。同図（ａ）のように、内封物を封筒本体１１の左端に寄せて、内封物の２０％が残る位置に切り取りミシン目２６，２７を形成して開封部１４を設けた場合、万が一切り取りミシン目２６，２７が破れてしまっても、内封物の狭い範囲の部分が全体の２０％封筒本体１１の内側に残っているので中身が出てこない。また、同じ内封物を封筒本体１１の右端に寄せると、内封物の狭い範囲の部分が４０％封筒本体１１の内側に残り、中身が更に出にくくなる。
【００２１】
それに対して、同図（ｂ）のように、内封物を封筒本体１１の右端に寄せて、内封物の２０％が残る位置に切り取りミシン目２６，２７を形成して開封部１４を設けた場合、切り取りミシン目２６，２７が破れたとしても、内封物の狭い範囲の部分が全体の２０％封筒本体１１の内側に残っているので中身が出てこない。また、同じ内封物を封筒本体１１の左端に寄せると、内封物の狭い範囲の部分が４０％封筒本体１１の内側に残り、中身が更に出にくくなる。したがって、この寸法の場合、封筒本体１１の左端から長辺全体の６０〜８０％の範囲内の位置に開封部１４の切り取りミシン目２６，２７を設ければ、内封物が封筒本体１１内部の左右どちらの端に片寄っても中身が出にくい状態を作り出すことができる。
【００２２】
なお、図２に示すように、フラップ１３には封入口１２を封緘するためにその縁部に沿ってアクリル系の接着剤２８が塗布されており、接着剤２８の表面が使用時までシリコン加工された剥離片２９で覆われている。接着剤２８は同図のようにフラップ１３の縁部に到達するまで塗布されていると、封緘した時に引っ掛かりが無くなってフラップ１３から開封しにくくなり、ユーザが開封部１４の切り取りミシン目２６，２７を利用して開封するようになるので好ましい。なお、フラップ１３の封緘構造は、接着剤２８と剥離片２９によるもの以外に、再湿糊を塗布・乾燥させて使用時に水を付けて接着するタイプや、ゴム系接着剤を塗布・乾燥させて使用時に圧力を加えて接着するタイプを採用しても良い。
【００２３】
本実施形態のディスク配送用封筒は以上のように構成されており、以下にその使用方法を説明する。
【００２４】
例えば会員がインターネットでＤＶＤをレンタル注文すると、レンタルショップでは注文されたＤＶＤをこの配送用封筒１０を用いて会員の自宅宛に配送する。すなわち、まず図４（ａ）に示すように、返却先である店舗の宛先と料金受取人払いの表示マークを予め宛名面に印刷した返却用封筒４０の中に、レンタル注文されたＤＶＤ（ディスク）３０を入れる。また、配送用封筒１０の宛名面に注文主である会員の宛先を印刷する。
【００２５】
次に、図４（ｂ）に示すように、ＤＶＤ３０の入った返却用封筒４０，４０，…を封緘せずに、配送用封筒１０の封入口１２から封筒本体１１内に挿入する。そして、剥離片２９を剥がし取り、接着剤２８の付いたフラップ１３で封入口１２を封緘し、図４（ｃ）のように封緘した配送用封筒１０を会員の自宅宛に配送する。ここで、この配送用封筒１０は、上述したように配送中に切り取りミシン目２６，２７の一部が破れたとしても内封物の返却用封筒４０を簡単には取り出すことができないため、中身のＤＶＤ３０を確実に配送することができる。
【００２６】
それに対して、配送用封筒１０を受け取った会員は、配送用封筒１０を開封してＤＶＤ３０を利用する。すなわち、図５（ａ）に示すように、開封部１４の端部をつまんで引っ張ると、ミシン目２６，２７が切断されて開封部１４が封筒本体１１から切り離され、封筒本体１１の中央部が開封される。そして、図５（ｂ）に示すように、開封した封筒本体１１に収容されている返却用封筒４０，４０，…を開封口１４ａから引き出し、返却用封筒４０に入っているＤＶＤ３０を取り出して視聴することができる。
【００２７】
視聴が終わるとＤＶＤ３０を返却するが、その返却方法は、図５（ｃ）に示すように視聴し終わったＤＶＤ３０から順番に返却用封筒４０に入れて封緘し、封緘した返却用封筒４０を郵便ポストに投函するだけで良い。このように、会員は個別の返却用封筒４０を利用することによって、レンタルしたＤＶＤ３０を自分の好きなタイミングで返却することができるので便利である。また、いったん開封した配送用封筒１０は、封筒本体１１の中央部に開封口１４ａが開いた状態になる。したがって、会員が間違って配送用封筒１０を返却用に使用することが無くなり、開封後の配送用封筒１０の再利用を防止することができる。
【００２８】
なお、上述した実施形態では、開封部１４を封筒本体１１の表面にのみ設けたが、封筒本体１１の裏面に設けてあっても良い。図６に示すように、この配送用封筒１０は、１枚の封筒用シートを縦に２つ折りし、その両側縁部を接着剤で貼り合わせて封筒本体１１とフラップ１３を形成し、フラップ１３の端部から封筒本体１１の表面を通って裏面にかけて連続する切り取りミシン目を形成して開封部１４を設けたものである。
【００２９】
このような構造によると、図７に示すように、切り取りミシン目を切断して開封部１４を開封すると、開封部１４が封筒本体１１から完全に切り離される。これにより、封筒本体１１の表面から裏面にかけて連続する開封口１４ｂが形成され、封筒本体１１が開封口１４ｂによって左右に分断される。したがって、分断された封筒本体１１ａ，１１ｂを左右両側に引っ張ることでディスク入りの返却用封筒４０を取り出すことができるので、中身の取り出し作業を簡単に行えるようになるという利点がある。
【図面の簡単な説明】
【００３０】
【図１】本発明に係るディスク配送用封筒を示す外観図。
【図２】同封筒の展開図。
【図３】同封筒における開封部の位置関係を示す模式図。
【図４】レンタルショップにおける同封筒の使用方法を示す説明図。
【図５】会員における同封筒の使用方法を示す説明図。
【図６】本発明に係るディスク配送用封筒の他の構成例を示す外観図。
【図７】図６のディスク配送用封筒を開封した時の状態を示す説明図。
【符号の説明】
【００３１】
１０  ディスク配送用封筒
１１  封筒本体
１２  封入口
１３  フラップ
１４  開封部
１５  封筒表紙
１６、１７、１８、１９  折り線
２１  糊代
２２、２３  封筒裏紙
２４、２５  接着剤
２６、２７  切り取りミシン目
２８  接着剤
２９  剥離片
３０  ＤＶＤ（ディスク）
４０  返却用封筒
【図１】
2010006380.tif 000003
【図２】
2010006380.tif 000004
【図３】
2010006380.tif 000005
【図４】
2010006380.tif 000006
【図５】
2010006380.tif 000007
【図６】
2010006380.tif 000008
【図７】
2010006380.tif 000009